【手続補正書】
【提出日】令和3年3月17日(2021.3.17)
【手続補正１】
【補正対象書類名】特許請求の範囲
【補正対象項目名】全文
【補正方法】変更
【補正の内容】
【特許請求の範囲】
【請求項１】
試料濾過装置であって、
フレキシブルコネクタと、
入口穴を含む入力基板と、
前記入口穴と流体連通していて、前記試料を濾過して濾液にするように構成されたフィルタ膜と、
前記非対称フィルタからの前記濾液と流体連通する１つ以上のチャネルを含む出力基板であって、前記１つ以上のチャネルは前記出力基板の出口と流体連通している、前記出力基板と、
を含む試料濾過装置。
【請求項２】
前記フィルタ膜は、非対称フィルタ膜を含む、請求項１に記載の試料濾過装置。
【請求項３】
前記フレキシブル容器は、管状部分と流体連通する開口部を含み、前記管状部分は前記入口穴と流体連通する、請求項１に記載の試料濾過装置。
【請求項４】
前記フィルタ膜に接合するように構成された粘着層を含む、請求項１に記載の試料濾過装置。
【請求項５】
前記フレキシブルコネクタの開口部は、マイクロピペットチップ、フレキシブル容器、バルブピペット、又はバーブと接続するように構成されている、請求項１に記載の試料濾過装置。
【請求項６】
前記フィルタ膜は、前記入力基板に接着されている、請求項１に記載の試料濾過装置。
【請求項７】
前記フィルタ膜は、前記出力基板に接着されている、請求項１に記載の試料濾過装置。
【請求項８】
前記試液は、全血を含む、請求項１に記載の試料濾過装置。
【請求項９】
前記入口穴の直径は、前記管部分の直径よりも小さい、請求項１に記載の試料濾過装置。
【請求項１０】
試料を濾過する方法であって、
フレキシブルコネクタと、前記入力基板と流体連通する入口であってフィルタ膜と流体連通する前記入口を含む入力基板と、前記フィルタ膜から濾液を受けるように構成された１つ以上のチャネルと出口とを含む出力基板と、を含む試料濾過装置を用意するステップと、
試料を採取又は定量供給する装置を前記フレキシブルコネクタに取り付けるステップと、
試料を採取又は定量供給する前記装置に圧力をかけることによって、前記試料流体を前記フィルタ膜に押し通して濾液を生成し、前記濾液を１つ以上のチャネルに押し通して前記出口まで押し出すステップと、
を含む方法。
【請求項１１】
試料を採取又は定量供給する前記装置を取り付けるステップは、前記フレキシブルコネクタを、フレキシブル容器、バルブピペット、マイクロピペットチップ、
又はバーブに結合するステップを含む、請求項１０に記載の方法。
【請求項１２】
前記濾液を検査ストリップ上に定量供給するステップを更に含む、請求項１０に記載の方法。
【請求項１３】
前記試料流体は、全血を含む、請求項１０に記載の方法。
【請求項１４】
試料を採取又は定量供給する前記装置に緩衝液を追加するステップを更に含む、請求項１０に記載の方法。
【請求項１５】
検査装置又は診断装置において前記濾液を使用するステップを更に含む、請求項１０に記載の方法。
【手続補正２】
【補正対象書類名】明細書
【補正対象項目名】００８８
【補正方法】変更
【補正の内容】
【００８８】
当然のことながら、本明細書に記載の実施例及び実施形態は、例示のみを目的としており、それらを踏まえた様々な修正又は変更が当業者に示唆されることとなり、本出願の趣旨及び範囲、並びに添付の特許請求項の範囲に包含されることとなる。本明細書で言及される全ての発行物、特許、及び特許出願は、あらゆる目的のために参照により本明細書に含まれている。
〔付記１〕
試料を処理する試料濾過装置であって、
フレキシブル容器と、
前記フレキシブル容器を封止するように構成されたキャップであって、
前記フレキシブル容器と流体連通している１つ以上の入口穴と、
前記１つ以上の入口穴と流体連通していて、前記試料を濾過して濾液にするように構成された非対称フィルタと、
前記非対称フィルタからの前記濾液と流体連通する１つ以上のチャネルを含む支持構成要素と、
前記フィルタを前記キャップ又は前記支持構成要素に接合するように構成された粘着層と、
前記１つ以上のチャネルと流体連通している出口と、
を含む前記キャップと、
を含む試料濾過装置。
〔付記２〕
前記粘着層は両面粘着層である、付記１に記載の試料濾過装置。
〔付記３〕
前記キャップは、ねじ式接続により前記フレキシブル容器を封止する、付記１に記載の試料濾過装置。
〔付記４〕
前記試料流体は全血を含む、付記１に記載の試料濾過装置。
〔付記５〕
前記粘着層は、前記粘着層が前記非対称フィルタに粘着されたときに前記非対称フィルタを露出させるように構成された切り抜き部を含む、付記１に記載の試料濾過装置。
〔付記６〕
前記非対称フィルタのサイズが、前記粘着層のサイズより小さい、付記１に記載の試料濾過装置。
〔付記７〕
前記１つ以上のチャネルは、曲がりくねったチャネル、又は複数のチャネルを含む、付記１に記載の試料濾過装置。
〔付記８〕
前記出口はスパウトを含む、付記１に記載の試料濾過装置。
〔付記９〕
前記キャップは、ポリプロピレン、ポリカーボネート、アルミニウム、及び鋼のうちの少なくとも１つを含む、付記１に記載の試料濾過装置。
〔付記１０〕
前記粘着層と接合する前記キャップの表面がほぼフラットである、付記１に記載の試料濾過装置。
〔付記１１〕
前記粘着層と接合する前記キャップの表面が突起形状物を含む、付記１に記載の試料濾過装置。
〔付記１２〕
前記粘着層と接合する前記支持構成要素の表面がほぼフラットである、付記１に記載の試料濾過装置。
〔付記１３〕
前記粘着層と接合する前記支持構成要素の表面が突起形状物を含む、付記１に記載の試料濾過装置。
〔付記１４〕
前記粘着層は、シリコーン系又はアクリル系の粘着剤を含む、付記１に記載の試料濾過装置。
〔付記１５〕
前記フィルタ膜の幅が約１５ｍｍである、付記１に記載の試料濾過装置。
〔付記１６〕
前記フィルタ膜の長さが約１５ｍｍである、付記１に記載の試料濾過装置。
〔付記１７〕
前記非対称フィルタの細孔径が約０．８μｍである、付記１に記載の試料濾過装置。
〔付記１８〕
前記フィルタ膜は、ポリカーボネート、ポリスルホン、ポリエステル、ポリエチレン、及びポリプロピレンのうちの少なくとも１つを含む、付記１に記載の試料濾過装置。
〔付記１９〕
前記キャップは、その外周部の周囲にリッジを含む、付記１に記載の試料濾過装置。
〔付記２０〕
前記支持構成要素は、前記キャップの前記リッジの内側にぴったり収まるサイズになっている、付記１９に記載の試料濾過装置。
〔付記２１〕
前記支持構成要素は、その外周部の周囲にリッジを含む、付記１に記載の試料濾過装置。
〔付記２２〕
前記キャップは、前記支持構成要素の前記リッジの内側にぴったり収まるサイズになっている、付記２１に記載の試料濾過装置。
〔付記２３〕
前記１つ以上のチャネルは、前記フィルタ膜の領域全体にわたって延びる、付記１に記載の試料濾過装置。
〔付記２４〕
前記１つ以上のチャネルは、チャネル間の間隔が約１．５ｍｍである、付記１に記載の試料濾過装置。
〔付記２５〕
前記チャネルの構成の選択が、前記支持構成要素の表面の材質及び粗度に基づいて行われる、付記１に記載の試料濾過装置。
〔付記２６〕
前記容器の開口部のサイズより大きいフィルタサイズに対応する為に、前記キャップの封止部分が前記キャップの外周より小さい、付記１に記載の試料濾過装置。
〔付記２７〕
前記キャップに接続されて前記フレキシブル容器の長さ全体にわたって延びるスワブを更に含む、付記１に記載の試料濾過装置。
〔付記２８〕
前記スワブの端部が、前記キャップの切り抜き部と結合するように構成されたアンダカットを含む、付記２７に記載の試料濾過装置。
〔付記２９〕
前記キャップが前記スワブに取り付けられた場合に前記スワブの周囲の前記切り抜き部を通り抜ける流体経路を更に含む、付記２８に記載の試料濾過装置。
〔付記３０〕
前記粘着層は、前記フィルタを前記キャップに接合するように構成されている、付記１に記載の試料濾過装置。
〔付記３１〕
前記粘着層は、前記フィルタを前記支持構成要素に接合するように構成されている、付記１に記載の試料濾過装置。
〔付記３２〕
試料を濾過する方法であって、
フレキシブル容器と、前記フレキシブル容器を封止するように構成されたキャップと、を含む試料濾過装置を用意するステップと、
前記フレキシブル容器に試料流体を入れるステップと、
前記フレキシブル容器を圧搾することによって、前記試料流体を前記キャップの１つ以上の入口穴に押し通し、非対称フィルタに押し通して濾液を生成し、前記濾液を１つ以上のチャネルに押し通して出口まで押し出すステップと、
を含む方法。
〔付記３３〕
前記フレキシブル容器を圧搾するステップを更に含む、付記３２に記載の方法。
〔付記３４〕
前記試料流体は全血を含む、付記３２に記載の方法。
〔付記３５〕
前記フレキシブル容器に緩衝液を追加するステップを更に含む、付記３２に記載の方法。
〔付記３６〕
前記フレキシブル容器を圧搾する前記ステップの前に前記試料流体を混合するステップを更に含む、付記３２に記載の方法。
〔付記３７〕
前記フレキシブル容器を圧搾する前記ステップの前に前記フレキシブル容器を逆さまにするステップを更に含む、付記３２に記載の方法。
〔付記３８〕
前記容器を圧搾する前記ステップは、０．２５〜５ｐｓｉの圧力を発生させる、付記３２に記載の方法。
〔付記３９〕
検査装置又は診断装置において前記濾液を使用するステップを更に含む、付記３２に記載の方法。
〔付記４０〕
ラテラルフローイムノアッセイ（ＬＦＩＡ）検査において前記濾液を使用するステップを更に含む、付記３２に記載の方法。
〔付記４１〕
前記濾液を使用して、血中アルコール濃度、カンナビノイド検出、又はビタミン不足の検査を行うステップを更に含む、付記３２に記載の方法。
〔付記４２〕
前記濾液を使用して、血流中を循環する無細胞ＤＮＡを隔離するステップを更に含む、付記３２に記載の方法。
〔付記４３〕
ラテラルフローイムノアッセイ検査ストリップ上で前記濾液を使用するステップを更に含む、付記３２に記載の方法。
〔付記４４〕
試料濾過装置の製造方法であって、
入口穴を含む第１の基板を用意するステップと、
前記入口穴と流体連通していて、前記試料を濾過して濾液にするように構成された非対称フィルタを用意するステップと、
前記フィルタからの前記濾液と流体連通し、出口穴と流体連通している１つ以上のチャネルを含む第２の基板を用意するステップと、
前記非対称フィルタのサイズより小さい中央切り抜き部を含む粘着層であって、前記非対称フィルタを前記第１の基板又は前記第２の基板に接合するように構成された前記粘着層を用意するステップと、
を含む方法。
〔付記４５〕
前記フィルタアセンブリをまとめて圧縮して、前記粘着層が、隣接する面に結合し、前記フィルタ膜の外周部を封止するようにするステップを更に含む、付記４４に記載の方法。
〔付記４６〕
前記第１の基板がキャップである、付記４４に記載の方法。
〔付記４７〕
フレキシブルコネクタを前記第１の基板又は前記第２の基板に取り付けるステップを更に含む、付記４４に記載の方法。
〔付記４８〕
前記フレキシブルコネクタを取り付ける前記ステップは、前記フレキシブルコネクタを前記第１の基板上にオーバモールドするステップを含む、付記４７に記載の方法。
〔付記４９〕
前記フレキシブルコネクタを取り付ける前記ステップは、機械式インタロックを使用して前記フレキシブルコネクタを前記第１の基板に取り付けるステップを含む、付記４７に記載の方法。
〔付記５０〕
前記フレキシブルコネクタは、管部分につながる漏斗状入口を含み、前記管部分は、前記管部分の径より小さい径を有する収縮穴と流体連通しており、前記収縮穴は、前記第１の基板の前記入口穴と流体連通している、付記４７に記載の方法。
〔付記５１〕
前記入口穴の近くのキャビティ内にボール弁を設けるステップを更に含み、前記ボール弁は前記入口穴を可逆的に封止するように構成されている、付記５０に記載の方法。
〔付記５２〕
前記粘着層を使用して前記非対称フィルタを前記第１の基板に粘着させるステップを更に含む、付記４４に記載の方法。
〔付記５３〕
前記粘着層を使用して前記非対称フィルタを前記第２の基板に粘着させるステップを更に含む、付記４４に記載の方法。
〔付記５４〕
前記第２の基板の少なくとも一部分の周囲にリッジを形成するステップを更に含む、付記４４に記載の方法。
〔付記５５〕
前記第１の基板は、前記リッジ内にぴったり収まる形状になっている、付記５４に記載の方法。
〔付記５６〕
前記第１の基板の少なくとも一部分の周囲にリッジを形成するステップを更に含む、付記４４に記載の方法。
〔付記５７〕
前記第２の基板は、前記リッジ内にぴったり収まる形状になっている、付記５６に記載の方法。
〔付記５８〕
管部分につながる漏斗状開口部を含むフレキシブルコネクタと、
前記管部分と流体連通している入口収縮穴を含む入力基板と、
前記入口収縮穴と流体連通していて、前記試料を濾過して濾液にするように構成された非対称フィルタ膜と、
前記非対称フィルタ膜に接合するように構成された粘着層であって、前記フィルタ膜の中央部分を露出させるように構成された中央切り抜き部を含む前記粘着層と、
前記非対称フィルタからの前記濾液と流体連通する１つ以上のチャネルを含む出力基板であって、前記１つ以上のチャネルは前記出力基板の出口と流体連通している、前記出力基板と、
を含む試料濾過装置。
〔付記５９〕
前記入口収縮穴を可逆的に封止するように構成されたボール弁を更に含む、付記５８に記載の試料濾過装置。
〔付記６０〕
前記ボールは、前記入口収縮穴と前記フィルタ膜との間の前記キャビティ内に配置されている、付記５９に記載の試料濾過装置。
〔付記６１〕
前記ボール弁は、活性化動作の解除によって引き起こされる逆流を阻止するように構成されている、付記５９に記載の試料濾過装置。
〔付記６２〕
前記ボールは、ゴム、プラスチック、セラミック、及び金属のうちの少なくとも１つを含む、付記５９に記載の試料濾過装置。
〔付記６３〕
前記ボールの材料は、前記フィルタアセンブリの意図された使用方向に基づいて選択される、付記５９に記載の試料濾過装置。
〔付記６４〕
直立させる場合には低密度材料が選択される、付記６３に記載の試料濾過装置。
〔付記６５〕
逆さまにする場合には高密度材料が選択される、付記６３に記載の試料濾過装置。
〔付記６６〕
前記フレキシブルコネクタの開口部及び管部分は、マイクロピペットチップを受ける形状になっている、付記５８に記載の試料濾過装置。
〔付記６７〕
前記フレキシブルコネクタの外側表面が、スクイーズボトルの開口部の内側表面と結合して前記内側表面を封止する形状になっている、付記５８に記載の試料濾過装置。
〔付記６８〕
前記漏斗状開口部は長さが約１ｍｍである、付記５８に記載の試料濾過装置。
〔付記６９〕
前記漏斗状開口部は角度が約４５°である、付記５８に記載の試料濾過装置。
〔付記７０〕
前記管部分は長さが約７ｍｍである、付記５８に記載の試料濾過装置。
〔付記７１〕
前記管部分は最小内径が約１．５ｍｍである、付記５８に記載の試料濾過装置。
〔付記７２〕
前記収縮穴は径が約０．７５ｍｍである、付記５８に記載の試料濾過装置。
〔付記７３〕
前記フィルタ膜は前記入力基板に粘着される、付記５８に記載の試料濾過装置。
〔付記７４〕
前記フィルタ膜は前記出力基板に粘着される、付記５８に記載の試料濾過装置。
〔付記７５〕
前記フレキシブルコネクタは、ＴＰＥ、シリコーン、ゴム、ポリウレタン、ＬＤＰＥ、ＨＤＰＥ、ＰＰ、及び可塑化ＰＶＣのうちの少なくとも１つを含む、付記５８に記載の試料濾過装置。
〔付記７６〕
前記フレキシブルコネクタの壁厚が約２ｍｍである、付記５８に記載の試料濾過装置。
〔付記７７〕
前記粘着層は両面粘着層である、付記５８に記載の試料濾過装置。
〔付記７８〕
前記試料流体は全血を含む、付記５８に記載の試料濾過装置。
〔付記７９〕
前記非対称フィルタのサイズが、前記粘着層の外周部のサイズより小さい、付記５８に記載の試料濾過装置。
〔付記８０〕
前記１つ以上のチャネルは、曲がりくねったチャネル、又は複数のチャネルを含む、付記５８に記載の試料濾過装置。
〔付記８１〕
前記出口はスパウトを含む、付記５８に記載の試料濾過装置。
〔付記８２〕
前記フィルタ膜に隣接する前記入力基板及び前記出力基板の少なくとも一方の基板の表面がフラットである、付記５８に記載の試料濾過装置。
〔付記８３〕
前記フィルタ膜に隣接する前記入力基板及び前記出力基板の少なくとも一方の基板の表面が突起形状物を含む、付記５８に記載の試料濾過装置。
〔付記８４〕
前記粘着層は、シリコーン系又はアクリル系の粘着剤を含む、付記５８に記載の試料濾過装置。
〔付記８５〕
前記フィルタ膜の幅が約１５ｍｍである、付記５８に記載の試料濾過装置。
〔付記８６〕
前記フィルタ膜の長さが約１５ｍｍである、付記５８に記載の試料濾過装置。
〔付記８７〕
前記非対称フィルタの細孔径が約０．８μｍである、付記５８に記載の試料濾過装置。
〔付記８８〕
前記フィルタ膜は、ポリカーボネート、ポリスルホン、ポリエステル、ポリエチレン、及びポリプロピレンのうちの少なくとも１つを含む、付記５８に記載の試料濾過装置。
〔付記８９〕
前記出力基板は、その外周部の周囲にリッジを含む、付記５８に記載の試料濾過装置。
〔付記９０〕
前記入力基板は、前記出力基板の前記リッジの内側にぴったり収まるサイズになっている、付記８９に記載の試料濾過装置。
〔付記９１〕
前記入力基板は、その外周部の周囲にリッジを含む、付記５８に記載の試料濾過装置。
〔付記９２〕
前記出力基板は、前記入力基板のリッジの内側にぴったり収まるサイズになっている、付記９１に記載の試料濾過装置。
〔付記９３〕
前記１つ以上のチャネルは、前記フィルタ膜の領域全体にわたって延びる、付記５８に記載の試料濾過装置。
〔付記９４〕
前記１つ以上のチャネルは、チャネル間の間隔が約１．５ｍｍである、付記５８に記載の試料濾過装置。
〔付記９５〕
前記チャネルの構成の選択が、前記支持構成要素の表面の材質及び粗度に基づいて行われる、付記５８に記載の試料濾過装置。
〔付記９６〕
前記入口収縮穴の径が、前記管部分の径より小さい、付記５８に記載の試料濾過装置。
〔付記９７〕
前記フレキシブルコネクタは、機械式インタロックを使用して前記入力基板に接続される、付記５８に記載の試料濾過装置。
〔付記９８〕
付記５８に記載の試料濾過装置と、試料入力領域を含む検査カートリッジであって、前記試料濾過装置の出口を前記試料入力領域と位置合わせするように構成された位置合わせ形状物を含む前記検査カートリッジと、を含む診断システム。
〔付記９９〕
前記試料濾過装置を前記検査カートリッジに固定するように構成されたラッチを更に含む、付記９８に記載の診断システム。
〔付記１００〕
前記位置合わせ形状物は前記ラッチである、付記９９に記載の診断システム。
〔付記１０１〕
前記出力基板は、前記試料濾過装置を検査カートリッジに粘着させるように構成された粘着剤を含む、付記５８に記載の試料濾過装置。
〔付記１０２〕
前記出力基板は、前記試料濾過装置を検査カートリッジに粘着させるように構成された接着剤を含む、付記５８に記載の試料濾過装置。
〔付記１０３〕
前記管部分の上部が、バーブと結合するように構成されたアンダカットを含む、付記５８に記載の試料濾過装置。
〔付記１０４〕
付記５８に記載の試料濾過装置を複数含むアレイ。
〔付記１０５〕
２個、３個、４個、６個、８個、又は１２個の試料濾過装置を含む、付記１０４に記載のアレイ。
〔付記１０６〕
試料を濾過する方法であって、
管部分につながる漏斗状開口部を含むフレキシブルコネクタであって、前記管部分は入力基板の入口と流体連通しており、前記入口は非対称フィルタ膜と流体連通しており、前記非対称フィルタ膜は粘着層に接続されている、前記フレキシブルコネクタと、前記フィルタ膜から濾液を受けるように構成された１つ以上のチャネルを含み、出口を含む出力基板と、を含む試料濾過装置を用意するステップと、
試料を採取又は定量供給する装置を前記フレキシブルコネクタに取り付けるステップと、
試料を採取又は定量供給する前記装置に圧力をかけることによって、前記試料流体を前記非対称フィルタに押し通して濾液を生成し、前記濾液を１つ以上のチャネルに押し通して前記出口まで押し出すステップと、
を含む方法。
〔付記１０７〕
試料を採取又は定量供給する前記装置を取り付けるステップは、前記漏斗状開口部にマイクロピペットチップを挿入するステップを含む、付記１０６に記載の方法。
〔付記１０８〕
試料を採取又は定量供給する前記装置を取り付けるステップは、フレキシブル容器の開口部に前記フレキシブルコネクタを挿入するステップを含む、付記１０６に記載の方法。
〔付記１０９〕
前記フレキシブル容器に緩衝液を追加するステップを更に含む、付記１０８に記載の方法。
〔付記１１０〕
前記フレキシブル容器を圧搾して、前記濾液を検査ストリップ又は検査カートリッジの上に定量供給するステップを更に含む、付記１０８に記載の方法。
〔付記１１１〕
前記フレキシブル容器を逆さまにしてから圧搾するステップを更に含む、付記１１０に記載の方法。
〔付記１１２〕
前記容器を圧搾する前記ステップは、０．２５〜５ｐｓｉの圧力を発生させる、付記１１０に記載の方法。
〔付記１１３〕
試料を採取又は定量供給する前記装置を取り付けるステップは、前記漏斗状開口部にバーブを挿入するステップを含む、付記１０６に記載の方法。
〔付記１１４〕
試料を採取又は定量供給する前記装置を取り付けるステップは、前記漏斗状開口部にオスコネクタを挿入するステップを含む、付記１０６に記載の方法。
〔付記１１５〕
前記濾液を検査ストリップ上に定量供給するステップを更に含む、付記１０６に記載の方法。
〔付記１１６〕
前記試料流体は全血を含む、付記１０６に記載の方法。
〔付記１１７〕
前記試料流体は希釈血液を含む、付記１０６に記載の方法。
〔付記１１８〕
試料を採取又は定量供給する前記装置に緩衝液を追加するステップを更に含む、付記１０６に記載の方法。
〔付記１１９〕
前記試料流体と前記緩衝液とを混合するステップを更に含む、付記１１８に記載の方法。
〔付記１２０〕
検査装置又は診断装置において前記濾液を使用するステップを更に含む、付記１０６に記載の方法。
〔付記１２１〕
ラテラルフローイムノアッセイ（ＬＦＩＡ）検査において前記濾液を使用するステップを更に含む、付記１０６に記載の方法。
〔付記１２２〕
前記濾液を使用して、血中アルコール濃度、ビタミン不足、又はカンナビノイド検出の検査を行うステップを更に含む、付記１０６に記載の方法。
〔付記１２３〕
前記濾液を使用して、血流中を循環する無細胞ＤＮＡを隔離するステップを更に含む、付記１０６に記載の方法。
〔付記１２４〕
ラテラルフローイムノアッセイ検査ストリップ上で前記濾液を使用するステップを更に含む、付記１０６に記載の方法。
〔付記１２５〕
前記試料濾過装置を検査カートリッジ上に配置するステップを更に含む、付記１０６に記載の方法。
〔付記１２６〕
前記試料濾過装置を前記検査カートリッジ上に配置する前記ステップは、前記試料濾過装置を前記検査カートリッジにラッチするステップを含む、付記１２５に記載の方法。
〔付記１２７〕
前記試料濾過装置を前記検査カートリッジ上に配置する前記ステップは、前記試料濾過装置を前記検査カートリッジに粘着させるステップを含む、付記１２５に記載の方法。
〔付記１２８〕
前記試料濾過装置を前記検査カートリッジ上に配置する前記ステップは、前記試料濾過装置を前記検査カートリッジに接着するステップを含む、付記１２５に記載の方法。
〔付記１２９〕
入口穴を含む入力基板と、
前記入口穴と流体連通していて、前記試料を濾過して濾液にするように構成された非対称フィルタ膜と、
前記非対称フィルタ膜に接合するように構成された粘着層であって、前記フィルタ膜の中央部分を露出させるように構成された中央切り抜き部を含む前記粘着層と、
前記非対称フィルタからの前記濾液と流体連通する１つ以上のチャネルを含む出力基板であって、前記１つ以上のチャネルは前記出力基板の出口と流体連通している、前記出力基板と、
を含む試料濾過装置。
〔付記１３０〕
前記入口穴に取り付けられたフレキシブルコネクタであって、前記フレキシブルコネクタは、管状部分と流体連通している漏斗状開口部を含み、前記管状部分は前記入口穴と流体連通している、前記フレキシブルコネクタを更に含む、付記１２９に記載の試料濾過装置。
〔付記１３１〕
前記フレキシブルコネクタは、フレキシブル容器、バルブピペット、マイクロピペット、及びバーブと結合する形状になっている、付記１３０に記載の試料濾過装置。
〔付記１３２〕
前記入力基板又は前記出力基板の少なくとも一方が、フレキシブル容器のキャップの一部分を含む、付記１２９に記載の試料濾過装置。
〔付記１３３〕
前記入口穴を可逆的に封止するように構成されたボール弁を更に含む、付記１２９に記載の試料濾過装置。
〔付記１３４〕
前記ボールは、前記入口穴と前記フィルタ膜との間の前記キャビティ内に配置されている、付記１３３に記載の試料濾過装置。
〔付記１３５〕
前記ボール弁は、活性化動作の解除によって引き起こされる逆流を阻止するように構成されている、付記１３３に記載の試料濾過装置。
〔付記１３６〕
前記ボールは、ゴム、プラスチック、セラミック、及び金属のうちの少なくとも１つを含む、付記１３３に記載の試料濾過装置。
〔付記１３７〕
前記ボールの材料は、前記フィルタアセンブリの意図された使用方向に基づいて選択される、付記１３３に記載の試料濾過装置。
〔付記１３８〕
直立させる場合には低密度材料が選択される、付記１３７に記載の試料濾過装置。
〔付記１３９〕
逆さまにする場合には高密度材料が選択される、付記１３７に記載の試料濾過装置。
〔付記１４０〕
前記フィルタ膜は前記入力基板に粘着される、付記１２９に記載の試料濾過装置。
〔付記１４１〕
前記フィルタ膜は前記出力基板に粘着される、付記１２９に記載の試料濾過装置。
〔付記１４２〕
前記粘着層は両面粘着層である、付記１２９に記載の試料濾過装置。
〔付記１４３〕
前記試料流体は全血を含む、付記１２９に記載の試料濾過装置。
〔付記１４４〕
前記非対称フィルタのサイズが、前記粘着層の外周部のサイズより小さい、付記１２９に記載の試料濾過装置。
〔付記１４５〕
前記１つ以上のチャネルは、曲がりくねったチャネル、又は複数のチャネルを含む、付記１２９に記載の試料濾過装置。
〔付記１４６〕
前記出口はスパウトを含む、付記１２９に記載の試料濾過装置。
〔付記１４７〕
前記フィルタ膜に隣接する前記入力基板及び前記出力基板の少なくとも一方の基板の表面がフラットである、付記１２９に記載の試料濾過装置。
〔付記１４８〕
前記フィルタ膜に隣接する前記入力基板及び前記出力基板の少なくとも一方の基板の表面が突起形状物を含む、付記１２９に記載の試料濾過装置。
〔付記１４９〕
前記粘着層は、シリコーン系又はアクリル系の粘着剤を含む、付記１２９に記載の試料濾過装置。
〔付記１５０〕
前記フィルタ膜の幅が約１５〜１７ｍｍである、付記１２９に記載の試料濾過装置。
〔付記１５１〕
前記フィルタ膜の長さが約１５〜１７ｍｍである、付記１２９に記載の試料濾過装置。
〔付記１５２〕
前記非対称フィルタの細孔径が約０．８μｍである、付記１２９に記載の試料濾過装置。
〔付記１５３〕
前記フィルタ膜は、ポリカーボネート、ポリスルホン、ポリエステル、ポリエチレン、及びポリプロピレンのうちの少なくとも１つを含む、付記１２９に記載の試料濾過装置。
〔付記１５４〕
前記出力基板は、その外周部の周囲にリッジを含む、付記１２９に記載の試料濾過装置。
〔付記１５５〕
前記入力基板は、前記出力基板の前記リッジの内側にぴったり収まるサイズになっている、付記１５４に記載の試料濾過装置。
〔付記１５６〕
前記入力基板は、その外周部の周囲にリッジを含む、付記１２９に記載の試料濾過装置。
〔付記１５７〕
前記出力基板は、前記入力基板のリッジの内側にぴったり収まるサイズになっている、付記１５６に記載の試料濾過装置。
〔付記１５８〕
前記１つ以上のチャネルは、前記フィルタ膜の領域全体にわたって延びる、付記１２９に記載の試料濾過装置。
〔付記１５９〕
前記１つ以上のチャネルは、チャネル間の間隔が約１．５ｍｍである、付記１２９に記載の試料濾過装置。
〔付記１６０〕
前記チャネルの構成の選択が、前記支持構成要素の表面の材質及び粗度に基づいて行われる、付記１２９に記載の試料濾過装置。
〔付記１６１〕
前記入力基板及び前記出力基板の少なくとも一方が剛体材料を含む、付記１２９に記載の試料濾過装置。
〔付記１６２〕
前記装置を、試料を採取且つ定量供給する装置に取り付けるように構成されたコネクタを更に含む、付記１２９に記載の試料濾過装置。
〔付記１６３〕
試料を濾過する方法であって、
入口穴を含む入力基板と、前記入口穴と流体連通していて、前記試料を濾過して濾液にするように構成された非対称フィルタ膜と、前記非対称フィルタ膜に接合するように構成された粘着層であって、前記フィルタ膜の中央部分を露出させるように構成された中央切り抜き部を含む前記粘着層と、前記非対称フィルタからの前記濾液と流体連通する１つ以上のチャネルを含む出力基板であって、前記１つ以上のチャネルは前記出力基板の出口と流体連通している、前記出力基板と、を含む試料濾過装置を用意するステップと、
試料を採取又は定量供給する装置を前記入口穴に接続するステップと、
前記試料を駆動して前記フィルタ膜に通すように、試料を採取又は定量供給する前記装置を活性化するステップと、
を含む方法。
〔付記１６４〕
前記入口穴と流体連通するフレキシブルコネクタを前記濾過装置に接続するステップを更に含む、付記１６３に記載の方法。
〔付記１６５〕
試料を採取又は定量供給する前記装置を接続する前記ステップは、マイクロピペットチップを前記入口穴に流体接続するステップを含む、付記１６３に記載の方法。
〔付記１６６〕
試料を採取又は定量供給する前記装置を接続する前記ステップは、フレキシブルコネクタを前記入口穴に流体接続するステップを含む、付記１６３に記載の方法。
〔付記１６７〕
前記試料を駆動して前記フィルタ膜に通すように、試料を採取又は定量供給する前記装置を活性化するステップを更に含む、付記１６３に記載の方法。
〔付記１６８〕
前記濾液を検査ストリップ上に定量供給するステップを更に含む、付記１６３に記載の方法。
〔付記１６９〕
前記試料流体は全血を含む、付記１６３に記載の方法。
〔付記１７０〕
前記試料流体は希釈血液を含む、付記１６３に記載の方法。
〔付記１７１〕
試料を採取又は定量供給する前記装置に緩衝液を追加するステップを更に含む、付記１６３に記載の方法。
〔付記１７２〕
前記試料流体と前記緩衝液とを混合するステップを更に含む、付記１６３に記載の方法。
〔付記１７３〕
検査装置又は診断装置において前記濾液を使用するステップを更に含む、付記１６３に記載の方法。
〔付記１７４〕
ラテラルフローイムノアッセイ（ＬＦＩＡ）検査において前記濾液を使用するステップを更に含む、付記１６３に記載の方法。
〔付記１７５〕
前記濾液を使用して、血中アルコール濃度、ビタミン不足、又はカンナビノイド検出の検査を行うステップを更に含む、付記１６３に記載の方法。
〔付記１７６〕
前記濾液を使用して、血流中を循環する無細胞ＤＮＡを隔離するステップを更に含む、付記１６３に記載の方法。
〔付記１７７〕
ラテラルフローイムノアッセイ検査ストリップ上で前記濾液を使用するステップを更に含む、付記１６３に記載の方法。
〔付記１７８〕
前記試料濾過装置を検査カートリッジ上に配置するステップを更に含む、付記１６３に記載の方法。
〔付記１７９〕
前記試料濾過装置を前記検査カートリッジ上に配置する前記ステップは、前記試料濾過装置を前記検査カートリッジにラッチするステップを含む、付記１７５に記載の方法。